(57)【要約】【課題】複数の薬剤師が薬剤提供業務の作業を分業して行ったとしてもやり直しを少なくし、効率的に薬剤の提供を行えるようにすること。【解決手段】複数の担当者により用いられ、患者ごとに薬剤の提供業務を行うために用いられる進捗状況管理システムであって、提供業務に係る複数の作業を選択するボタンを、当該作業の順序で表示する表示データを生成するボタン生成手段と、所定の作業において、当該所定の作業に割り振られている患者ごとの提供業務を所定の順番で表示する表示制御手段と、受け付けた提供業務の薬剤のうち、作業を行うと変更になりうる候補薬剤を、作業毎に特定する変更薬剤特定手段と、を備え、前順序の作業において表示された前記候補薬剤がある場合の患者の順番が、後順序の作業において当該順番よりも下の順番で表示される、進捗管理システム。【選択図】図２
2018139160.tif 000002
【特許請求の範囲】
【請求項１】
複数の担当者により用いられ、患者毎に薬剤の提供業務を行うために用いられる進捗状況管理システムであって、
前記提供業務に係る複数の作業を選択するボタンを、当該作業の順序で表示する表示データを生成するボタン生成手段と、
所定の作業において、当該所定の作業に割り振られている患者毎の提供業務を所定の順番で表示する表示制御手段と、
受け付けた前記提供業務の薬剤のうち、前記作業を行うと変更になりうる候補薬剤を、前記作業毎に特定する変更薬剤特定手段と、を備え、
前順序の作業において表示された前記候補薬剤がある場合の患者の順番が、後順序の作業において当該順番よりも下の順番で表示される、
進捗状況管理システム。
【請求項２】
前記前順序の作業が処方監査の作業又は調剤設計の作業である、
請求項１に記載の進捗状況管理システム。
【請求項３】
前記後順序の作業が調剤設計の作業又は調剤の作業である、
請求項１に記載の進捗状況管理システム。
【請求項４】
前記変更薬剤特定手段は、前記提供業務の薬剤のうち、所定の薬剤と同一の一般名称の薬剤がある場合に、当該所定の薬剤を候補薬剤として特定する、
請求項１乃至３何れかに記載の進捗状況管理システム。
【請求項５】
前記変更薬剤特定手段は、前記提供業務の薬剤のうち、所定の薬剤を禁忌とする他の薬剤又は疾病がある場合に、当該所定の薬剤を候補薬剤として特定する、
請求項１乃至３何れかに記載の進捗状況管理システム。
【請求項６】
前記変更薬剤特定手段は、前記提供業務の薬剤のうち、所定の薬剤に残薬がある場合に、当該所定の薬剤を候補薬剤として特定する、
請求項１乃至３何れかに記載の進捗状況管理システム。
【請求項７】
複数の担当者により用いられ、患者毎に薬剤の提供業務を行うために用いられるコンピュータを、
前記提供業務に係る複数の作業を選択するボタンを、当該作業の順序で表示する表示データを生成するボタン生成手段、
所定の作業において、当該所定の作業に割り振られている患者毎の提供業務を所定の順番で表示する表示制御手段、
受け付けた前記提供業務の薬剤のうち、前記作業を行うと変更になりうる候補薬剤を、前記作業毎に特定する変更薬剤特定手段、として機能させ、
前順序の作業において表示された前記候補薬剤がある場合の患者の順番が、後順序の作業において当該順番よりも下の順番で表示させる、
プログラム。
【発明の詳細な説明】
【技術分野】
【０００１】
本発明は、薬剤を提供する業務を支援するための進捗状況管理システム及びプログラムに関する。
【背景技術】
【０００２】
情報処理技術の発展は、薬剤を調剤し提供する薬局等の医療機関にも広く浸透し、利便性を高めている。例えば、従来から医療機関においては、レセプト（診療報酬明細書）の作成を支援するレセコンといったコンピュータが知られており、高度な専門知識や複雑な計算を必要とすることなくレセプトの作成を可能にしている。また、近年では、薬歴等の患者の情報も電子的に管理して、薬剤の提供業務を支援するシステムが普及している。
【０００３】
特許文献１には、薬剤の提供業務において、提供業務を構成する作業に対応するアイコンを作業手順に合わせて並べて配置して表示する薬剤の提供業務を支援するシステムが開示されている。このシステムにおいては、一人の患者にたいして、複数の薬剤師が多数の作業を分業して、薬剤の提供業務を効率よく行えることが記載されている。
【先行技術文献】
【特許文献】
【０００４】
【特許文献１】特開２０１３−９７７４２号公報
【発明の概要】
【発明が解決しようとする課題】
【０００５】
ところで、薬剤の提供業務は、所定の順序に従って作業を行えば、後順序の作業をやり直す必要がないように作業順序が定められている。しかしながら、上述のように複数の薬剤師が多数の作業を分業して行った場合に、後順序の作業を終了した後に、前順序の作業に着手する場合がある。この場合には、前順序において薬剤の提供内容が変更になったときに、後順序の作業をやり直さなければならなかった。即ち、従来は、複数の薬剤師が薬剤の提供業務の作業を分業して行うと、やり直しが生じて効率的に薬剤の提供を行うことができなかった。
【０００６】
本発明は、このような課題に鑑みてなされたものであり、複数の薬剤師が薬剤提供業務の作業を分業して行ったとしてもやり直しを少なくし、効率的に薬剤の提供を行えるようにすることを目的とする。
【課題を解決するための手段】
【０００７】
上記目的を達成するため、本発明の一態様の進捗状況管理システムは、複数の担当者により用いられ、患者ごとに薬剤の提供業務を行うために用いられる進捗状況管理システムであって、
前記提供業務に係る複数の作業を選択するボタンを、当該作業の順序で表示する表示データを生成するボタン生成手段と、
所定の作業において、当該所定の作業に割り振られている患者ごとの提供業務を所定の順番で表示する表示制御手段と、
受け付けた前記提供業務の薬剤のうち、前記作業を行うと変更になりうる候補薬剤を、前記作業毎に特定する変更薬剤特定手段と、を備え、
前順序の作業において表示された前記候補薬剤がある場合の患者の順番が、後順序の作業において当該順番よりも下の順番で表示される、ことを特徴とする。
【発明の効果】
【０００８】
本発明によれば、複数の薬剤師が薬剤提供業務の作業を分業して行ったとしてもやり直しを少なくし、効率的に薬剤の提供を行えるようになる。
【図面の簡単な説明】
【０００９】
【図１】進捗状況管理システムの構成を示す図である。
【図２】担当者装置に表示される表示画面の一例を示す図である。
【図３】薬剤提供業務の概要を示す図である。
【図４】担当者装置の機能構成を示すブロック図である。
【図５】記憶部の業務ログデータベースを示す図である。
【図６】記憶部の薬歴データベースを示す図である。
【図７】記憶部の添付文書データベースを示す図である。
【図８】薬局の担当者が作業を行う際に表示される表示画面の一例を示す図である。
【図９】薬剤提供業務を構成する作業の振り分けの一例を示す図である。
【図１０】進捗状況管理システムの処理の流れを示すフローチャートである。
【発明を実施するための形態】
【００１０】
［第１実施形態］
以下、本発明の実施形態について図面を参照して説明する。
【００１１】
［進捗状況管理システム１００の概略］
図１を参照して、本発明の進捗状況管理システム１００は、薬局側の担当者により用いられる担当者装置１ａ・・・１ｎを含んで構成される。
【００１２】
担当者装置１ａ・・・１ｎは、薬剤提供業務を構成する各作業の担当者により用いられる端末装置である。このような本実施形態では、例えば、担当者装置１ａは担当者甲により用いられ、担当者装置１ｂは担当者乙により用いられ、担当者装置１ｃは担当者丙により用いられることになる。もちろん担当者装置１ａ・・・１ｎは、一人の担当者により用いられるだけでなく、複数の担当者が共有して用いることとしてもよい。なお、担当者装置１ａ・・・１ｎの構成は、基本的に同一であるため、以下単に「担当者装置１」と呼ぶことがある。
【００１３】
担当者装置１は、薬局においてその業務を多面的に支援することを目的としたものであり、各種演算処理を行う制御部や各種情報を記憶する記憶部に加え、キーボードやタッチパネル等により実現される入力部及びディスプレイによる表示部を備えた汎用パーソナルコンピュータである。このような担当者装置１は、各種プログラムがインストールされており、制御部がこれらプログラムに従い動作することで、レセコン機能や薬歴管理機能に加え、本発明に特有の提供業務分担機能を発揮する。
提供業務分担機能とは、薬剤の提供業務を作業毎に振り分けるとともに、各作業において、提供業務の優先順位を管理する機能である。
【００１４】
ここで、「提供業務」とは、処方箋を受け付けてから薬剤を提供するまでの一連の処理をいい、診断に基づいて指示された薬物療法を、薬剤師の専門性により、患者に対して個別最適化して実施することであり、その経過や結果の見守りを行い、評価と問題を把握し、医師や患者に伝達することをいう。また、「作業」とは、業務を構成する個々の処理（例えば、処方監査、調剤、薬剤交付会計等）をいう。
【００１５】
即ち、業務は、各作業によって構成され、一人の患者に対して薬剤を提供するために、複数の作業が行われる。複数の作業は、所定の順序で処理されることによりやり直しが生じないようになっているが、一人の患者について一人の担当者が一連の作業を行うよりも、作業を分担して一人の患者について複数の担当者が作業を分担して行う方が効率よく行われるため、担当者装置１は、複数の担当者により一人の患者の各作業を分担して同時に処理することが可能になっている。
【００１６】
担当者装置１は、複数の担当者により、各作業を分担して同時に処理する場合に、前の順序の作業において薬物提供業務の内容が変更になりうると判断されると、各作業において提供業務を処理する順番を変更するようになっている。
【００１７】
このような担当者装置１における提供業務と作業との取り扱いについて、図２を参照しながら説明する。
図２は、作業及び各患者への薬剤の提供業務が表示された、担当者装置１の表示部３０に表示される画面イメージである。
担当者装置１の表示部３０には、提供業務を構成する、作業に対応する選択ボタンが作業の順序で並んで表示される領域３０１が表示されている。また、担当者が何れかの選択ボタンを選択する操作を行うことにより、作業に振り分けられた各患者の薬剤業務が表示される領域３０２が表示部３０に表示されている。領域３０２には、患者に対する提供業務が所定の順番で並べられている。担当者は、患者に対する提供業務を選択することにより、表示部３０は、その患者への提供業務の作業を行うための画面へと遷移する。なお、作業は所定の順序で並び、作業において提供業務は所定の順番で並んでいるが、担当者は必ずしもこの順序通りに処理しないことが可能になっている。
【００１８】
図２（１）においては、処方監査の作業の選択操作を行った場合の画面例が表示されており、図２（２）においては、調剤の作業の選択操作を行った場合の画面例が表示されている。
例えば、患者Ｖに対する薬剤提供業務は、担当者装置１ａの受付の作業において、患者情報の入力を受け付けると、患者Ｖに対する薬剤提供業務が処方監査、調剤、薬剤交付会計等の作業に振り分けられる。各作業においては、各患者の薬剤提供業務が振り分けられており、例えば、担当者装置１ｂにおいて、処方監査の作業が選択され、処方監査の作業において、患者Ｖへの提供業務１３１、患者Ｗへの提供業務１３２及び患者Ｘへの提供業務１３３が順番に並んでいる。また、例えば、担当者装置１ｃにおいて、調剤の作業が選択され、調剤の作業において、患者Ｖへの提供業務１３４、患者Ｙへの提供業務１３５、患者Ｗへの提供業務１３６が順番に並んでいる。
ここで、処方監査の作業と調剤の作業とでは患者の処理する順番が異なっている。順番が異なる理由は、患者Ｙは、併用禁忌に該当するため、処方監査の作業において交付する薬剤が変更になる可能性が高い。そのため、処方監査の作業を行う前に調剤を行ってしまうと、薬剤が変更になって調剤の作業をやり直す可能性が高いため、調剤の作業において患者Ｗへの提供業務は後で処理することが推奨される配置になっている。
即ち、前順序の作業（処方監査の作業）において表示された候補薬剤（併用禁忌の薬剤）がある場合の患者の順番が、後順序の作業（調剤）において前順序の作業における順番よりも下の順番で表示されるようになっている。
【００１９】
次に、図３を参照して、薬剤提供業務を構成する作業を具体的に説明する。
図３は、薬剤提供業務及び作業について説明する概念図である。
図３（１）において、業務は、窓口において患者から処方箋を受け付けた後に、処方箋に従い薬剤を調剤し、調剤が適切であると最終鑑査において認められた場合に、窓口において患者に当該薬剤を提供するといった一連の流れにより構成される。
【００２０】
このような薬剤提供業務は、一例として図３（２）に示す各作業、即ち「受付」「薬歴確認」「処方監査」「患者情報収集」「調剤設計」「服薬に関する説明」「調剤決定」「調剤」「最終鑑査」「薬剤交付会計」により構成することができる。これら各作業は、互いに独立して進行できるものもあり、本実施形態では、これら各作業を複数の担当者により分業することとしている。例えば、薬剤提供業務を構成する各作業のうち、「受付」を担当者甲が担当し、「薬歴確認」「処方監査」「調剤設計」を担当者乙が担当し、「患者情報収集」「服薬に関する説明」「薬剤交付会計」を担当者丙が担当し、「調剤決定」「最終鑑査」を担当者丁が担当し、「調剤」を担当者戊が担当することとしている。
なお、一つの作業に一人の担当者が担当するだけではなく、複数の担当者により一つの作業を担当してもよい。
【００２１】
「受付」の作業とは、患者が持参した処方せんを受け付けて、処方せんの内容を入力する作業をいう。また、「薬歴確認」の作業とは、過去に患者に交付した薬剤の履歴を確認する作業をいう。また、「処方監査」の作業とは、患者の情報、過去に交付した薬剤及び処方せんに記載の薬剤を参照して、服薬を控えるべきとされる薬剤がないかを確認し、服薬を控えるべきとされる薬剤がある場合には、処方せんを発行した医師に問い合わせて処方せんの薬剤を変更する作業をいう。また、「患者情報収集」の作業とは、患者の体質・生活習慣や薬剤の副作用歴等の服薬に影響を及ぼしうる情報を患者からヒアリングする作業をいう。また、「調剤設計」とは、薬剤を入れる薬袋をどの様に分類するか、薬剤を割錠・粉砕する等の加工を行うか、一回の服用毎に一包にまとめる一包化を行うか等の調剤の仕方を設計する作業をいう。また、「服薬に関する説明」とは、薬剤を服用する時期・回数や服用の仕方を患者に説明する作業をいう。また、「調剤決定」とは、調剤設計した薬剤に基づいて調剤することを決定する作業をいう。また、「調剤」とは、調剤設計に基づいて、薬剤を収集して、加工し、一包化し、薬袋に入れる等を行う作業をいう。また、「最終鑑査」とは、上流の作業に誤りがないかを確認する作業をいう。また、「薬剤交付会計」とは、調剤した薬剤を患者に交付するとともに、会計を行う作業をいう。
【００２２】
［担当者装置１の機能的構成］
続いて、業務分担機能を発揮するための担当者装置１の機能的構成を、図４を参照して説明する。業務分担機能の発揮に際して、担当者装置１の制御部１０は、ボタン生成部１１と、業務受付部１２と、変更薬剤特定部１３と、作業振分部１４と、表示制御部１５と、を有する。また、記憶部２０は、業務ログデータベース２１と、薬歴データベース２２と、添付文書データベース２３とを有する。
【００２３】
記憶部２０に設けられた各種データベースについて説明する。まず、図５を参照して業務ログデータベース２１について説明する。
図５は、業務ログデータベース２１のデータ構成を示す概念図である。業務ログデータベース２１は、薬剤提供業務を管理する業務ログと、薬剤提供業務を構成する各作業を管理する作業ログと、から構成される。図５（１）は、業務ログを示し、図５（２）は、業務ログに記憶された業務Ａ０２の薬剤提供業務を構成する各作業の作業ログを示す。
業務ログには、薬剤提供業務を識別する「業務」に対応付けて、「処方薬」と、「受付番号」と、「患者」と、「開始時刻」と、「終了時刻」とを含んで構成される。また、作業ログには、薬剤提供業務を構成する各「作業」に対応付けて、「担当者」と、「作業に応じた入力情報」と、「開始時間」と、「終了時間」とを含んで構成される。
薬剤提供業務が受け付けられると、業務ログに新たな「業務」が追加され、当該「業務」に対応する作業ログが新たに生成される。なお、新たな作業ログが生成された時点では、作業ログ内の「担当者」「作業に応じた入力情報」「開始時間」「終了時間」等の欄は空（ブランク）のままである。
【００２４】
次に、図６を参照して薬歴データベース２２について説明する。
図６は、薬歴データベース２２のデータ構成を示す概念図である。薬歴データベース２２は、薬局において受け付けた処方せんの薬剤や交付した薬剤等の患者の薬歴に関する情報を記憶するＤＢであって、「処方箋ＩＤ」と、「患者氏名」と、「受付日」と、処方箋に記載されていた薬剤である「処方薬剤」と、実際に交付した薬剤である「交付薬剤」と、患者からヒアリングした残薬数である「残薬」とを含んで構成される。
薬歴データベース２２に記憶される、処方薬剤、交付薬剤及び残薬は、後述する変更薬剤特定部１３において、作業毎に変更の可能性を特定するために利用される。
【００２５】
次に、図７を参照して添付文書データベース２３について説明する。
図７は、添付文書データベース２３のデータ構成を示す概念図である。添付文書データベース２３は、薬剤の説明文書である添付文書の記載内容が主に記憶されるデータベースであって、「薬剤ＩＤ」と、薬剤の名称である「薬剤名」と、薬剤の成分の一般名称である「一般名称」と、薬剤の薬効と作用機序とである「薬効・作用機序」と、薬剤が服薬を控えるべきとされる疾患である「禁忌等疾患」と、他の薬剤と併用して服薬することを控えるべきとされる薬剤である「禁忌等薬剤」とを含んで構成される。
添付文書データベース２３に記憶される、一般名称、薬効・作用機序、禁忌等疾患及び禁忌等薬剤は、後述する変更薬剤特定部１３において、作業毎に変更の可能性を特定するために利用される。
【００２６】
なお、記憶部に記憶されるデータベースは、必ずしも担当者装置１自身に持たせる必要はなく、複数の担当者装置１のそれぞれが自由にアクセス可能であればよい。
【００２７】
図４に戻り、ボタン生成部１１は、薬剤の提供業務に係る複数の作業を選択するボタンを、当該作業の順序で表示する表示データを生成する。より詳細には、ボタン生成部１１は、記憶部２０から各作業に対応する選択ボタンを読み出し当該選択ボタンを所定の順序で並べた選択部を含む表示データを生成する。
【００２８】
なお、所定の順序とは、薬剤提供業務を行う場合に当該順序を遵守して作業を行えば、既に行った作業に間違いがない限りやり直す必要が少ないように並べられている。例えば、薬剤を患者に投与することに問題がないかをチェックする処方監査と、投与する薬剤を調整・包装等して準備する調剤とでは、調剤を行った後に処方監査を行うと、処方監査において併用することのできない薬剤を発見した場合には、再度調剤をやり直さなければならない。そのため、所定の順序では、処方監査が上流にあり調剤が下流にあるように並べられている。本実施形態においては、所定の順序は、「受付」「薬歴確認」「処方監査」「患者情報収集」「調剤設計」「服薬に関する説明」「調剤決定」「調剤」「最終鑑査」「薬剤交付会計」の順に構成されている。
【００２９】
ボタン生成部１１が生成するボタンを作業の順序で表示する選択部を含む表示データについて、図６を参照して説明する。
図６は、担当者装置１の表示部３０に表示される一画面のイメージ図である。図６（１）に示すように、選択部１２０は、選択ボタン１２１Ａ，１２１Ｂ・・・１２１Ｊと、担当者表示１２２Ａ，１２２Ｂと、を含んで構成される。このように構成される選択部１２０は、図５（２）に示すように、担当者装置１の表示部３０の下部領域に表示される。
【００３０】
選択ボタン１２１Ａ〜１２１Ｊ（以下「選択ボタン１２１」と呼ぶことがある）は、「受付」「薬歴確認」・・・「薬剤交付会計」といった薬剤提供業務を構成する各作業に対応し、担当者からの選択を受け付ける。選択ボタン１２１が担当者により選択されるとボタンの種別に関連する情報が表示部３０の中央領域に表示される。図６（２）は、「患者情報収集」に対応する選択ボタン１２１Ｄが選択された場合の表示例を示し、表示部３０の中央領域には、患者情報を収集するための領域３０１が表示されている。
担当者表示１２２Ａ，１２２Ｂ（以下「担当者表示１２２」と呼ぶことがある）は、当該薬剤提供業務における対応する作業を担当する担当者を表示する。図６では、患者「東日本一郎」に対する薬剤提供業務の「患者情報収集」を「西花子」が行いその詳細画面が表示されている。また、「患者情報収集」と同時に、他の担当者装置１で行われている患者「東日本一郎」に対する薬剤提供業務の「処方監査」を「東太郎」が担当していることが表示されている。
【００３１】
図４に戻り、業務受付部１２は、担当者から薬剤の提供業務の入力を受け付けて、受け付けた内容を記憶部２０に記憶する。
具体的には、業務受付部１２は、担当者から薬剤の提供業務として、患者の情報及び処方箋に記載された薬剤の情報を受け付ける。業務受付部１２は、受け付けた患者の情報及び薬剤の情報を業務ログデータベース２１及び薬歴データベース２２に記憶する。
【００３２】
変更薬剤特定部１３は、受け付けた提供業務の薬剤のうち、作業を行うと変更になりうる候補薬剤を、作業毎に特定する。
ここで、候補薬剤とは、業務受付部１２が受け付けた薬剤や受け付けた薬剤が作業の過程で変更された薬剤が、未処理の作業を行うと異なる薬剤と変更になる可能性がある場合又は未処理の作業を行うと削除される可能性がある場合に、その変更又は削除の可能性のある薬剤をいい、変更又は削除の可能性は、受け付けた薬剤と同一の一般名称の薬剤がある（いわゆるジェネリック医薬品がある）とき、受け付けた薬剤を禁忌とする他の薬剤又は疾病があるとき、受け付けた薬剤に残薬があるとき及び受け付けた薬剤内において重複する薬剤があるとき等を含むようになっている。
【００３３】
なお、禁忌とは、ある薬剤を他の薬剤と併用した場合やある薬剤を所定の疾患を有する患者に投与した場合に、重大な副作用が発生する可能性が生じたり、発生する可能性が高まったりすることをいう。また、残薬とは、ある薬剤について、患者において服用していない薬剤が所定数以上ある場合をいう。重複とは、同一の作用機序の薬効を有する複数種類の薬剤を服用することをいう。
【００３４】
具体的には、変更薬剤特定部１３は、添付文書データベース２３を参照して、受け付けた提供業務の薬剤のうち、併用が禁忌となる薬剤や疾患がある場合に、処方監査の作業において禁忌の薬剤を候補薬剤として特定する。また、変更薬剤特定部１３は、添付文書データベース２３を参照して、受け付けた提供業務の薬剤のうち、一般名称の他の薬剤がある場合に、調剤設計の作業において一般名称の他の薬剤がある薬剤を候補薬剤として特定する。また、変更薬剤特定部１３は、薬歴データベース２２を参照して、受け付けた提供業務の薬剤のうち、残薬のある薬剤がある場合に、患者情報収集作業において、残薬のある薬剤を候補薬剤として特定する。また、変更薬剤特定部１３は、添付文書データベース２３を参照して、受け付けた提供業務の薬剤のうち、重複の薬剤がある場合に、処方監査の作業において禁忌の薬剤を候補薬剤として特定する。
【００３５】
例えば、患者Ｗに対する、薬剤Ｂ，薬剤Ｄの提供業務において、変更薬剤特定部１３は、添付文書データベース２３を参照して、薬剤Ｂと薬剤Ｄとが併用禁忌であることを確認する。そして、変更薬剤特定部１３は、処方監査の作業における候補薬剤として薬剤Ｂ，薬剤Ｄを特定する。
また、例えば、患者Ｙに対する、薬剤Ａ，薬剤Ｂ，薬剤Ｃの提供業務において、変更薬剤特定部１３は、添付文書データベース２３を参照して、薬剤Ｃの一般名称ｃと同一の一般名称である薬剤Ｅがあることを確認する。そして、変更薬剤特定部１３は、調剤設計の作業における候補薬剤として薬剤Ｃを特定する。
また、例えば、患者Ｐに対する、薬剤Ａ，薬剤Ｃの提供業務において、変更薬剤特定部１３は、薬歴データベース２２を参照して、薬剤Ｃに今回処方分を超える残薬があることを確認する。そして、変更薬剤特定部１３は、調剤設計の作業における候補薬剤として薬剤Ｃを特定する。
また、例えば、患者Ｑに対する、薬剤Ａ，薬剤Ｇの提供業務において、変更薬剤特定部１３は、添付文書データベース２３を参照して、薬剤Ａと薬剤Ｇの薬効・機序が、同じ高血圧・Ｃａ拮抗薬であることを確認する。そして、変更薬剤特定部１３は、処方監査の作業における候補薬剤として、薬剤Ａと薬剤Ｇを特定する。
【００３６】
作業振分部１４は、前順序の作業に候補薬剤がある場合に、後順序の作業において、候補薬剤を含む提供業務を他の提供業務よりも後に処理されるように複数の作業に振り分ける。具体的には、作業振分部１４は、提供業務を各作業に振り分けると、作業に未処理の提供業務が複数存在することになる場合に、ある薬剤の提供業務の一連の作業のうち、前順序の作業に候補薬剤を含む提供業務があるときは、後順序の作業において、その提供業務を処理する順番の優先度をさげるように作業に振り分けるようになっている。
このように作業振分部１４が提供業務を振り分けることにより、後述の表示制御部１５は、前順序の作業において表示された候補薬剤がある場合の患者の順番が、後順序の作業において当該順番よりも下の順番で表示されるようになっている。
【００３７】
作業振分部１４が、前順序の作業に候補薬剤がある場合に、後順序の作業において、候補薬剤を含む提供業務を他の提供業務よりも後に処理されるように複数の作業に振り分ける必要性を説明する。薬剤提供業務は、担当者が一人の患者を一貫して担当する他に、複数の担当者がそれぞれ所定の作業のみを行うように分業して担当することが行われている。分業することによって、それぞれ担当する作業のみを行い他の作業に切り替えることによって生じる手間を省略することができ、作業をやり直す必要がなければ、薬剤提供業務全体の効率がよくなる。しかしながら、分業して薬剤提供業務を行うと、所定の順序に沿って業務を行わないため、所定の順序の前の作業において変更が生じた場合には、後の作業をやり直す必要があるため、そのような変更が生じた場合には、当該患者の薬剤提供業務の効率は悪くなってしまうという問題がある。
例えば、処方監査の作業は、担当者装置１の表示部（患者の情報、過去に交付した薬剤及び処方せんに記載の薬剤が表示）等を参照しながら服薬を控えるべきとされる薬剤がないかを分析する作業であり、調剤の作業は、担当者装置１の表示部（処方せんに含まれる薬剤及び調剤が表示）等を参照しながら調剤室内で薬剤の収集・加工等を行う作業であるから分業して同時に作業を行うことが可能な作業であり、処方監査において変更がない限り同時に行ったほうが患者を待たせる時間が少なく効率がよいが、所定の順序で前の作業である処方監査において服薬を控えるべきとされる薬剤が発見され交付する薬剤の内容が変更になった場合には、所定の順序で後の作業である調剤においては薬剤の収集・加工等をやり直す必要があり、効率が悪くなってしまう。
そこで、ある作業において変更の可能性のある提供業務がある場合に、ある作業よりも後の作業において処理順序のやり直しが発生しにくいようにすることにより、複数の薬剤師が薬剤提供業務の作業を分業して行ったとしてもやり直しを少なくし、効率的に薬剤の提供を行えるようにするために、作業の振り分けを行う。
【００３８】
ここで、図９を参照して、作業振分の例を具体的に説明する。
図９は、作業振分のイメージを示す概念図であって、簡略して複数ある作業のうち処方監査、調剤設計、調剤の作業について所定の順序で示してある。図９において、（候）は、当該作業においてその薬剤が候補薬剤であることを示し、（１）〜（４）はその作業において提供業務の処理の順番を示している。
ＥＸ１は、患者Ｙへの提供業務を振り分ける前の作業を示しており、ＥＸ２は、患者Ｙへの提供業務を振り分けた後の作業を示している。振り分ける提供業務は、患者Ｙへの提供業務であって、調剤設計において候補薬剤を含む提供業務である。
【００３９】
作業振分部１４は、例えば、処方監査の作業に患者Ｙへの提供業務を振り分ける際には、患者Ｙへの提供業務は、処方監査より前順序の作業に候補薬剤を有していないため、受け付け順番通りに四番目に処理される順番で患者Ｙへの提供業務を振り分ける。
また、作業振分部１４は、例えば、調剤設計の作業に患者Ｙへの提供業務を振り分ける際には、患者Ｙへの提供業務は、調剤設計より前順序の作業に候補薬剤を有していないが、患者Ｗへの提供業務は、調剤設計より前順序の作業である処方監査で候補薬剤を有しているため、患者Ｗへの提供業務が後に処理される順番で患者Ｙへの提供業務を振り分ける。即ち、作業振分部１４は、患者Ｙへの提供業務が三番目、患者Ｗへの提供業務が四番目に処理されるように提供業務を振り分ける。
また、作業振分部１４は、例えば、調剤の作業に患者Ｙへの提供業務を振り分ける際には、患者Ｙへの提供業務は、調剤より前順序の作業である調剤設計に候補薬剤を有しているため、患者Ｙへの提供業務が後に処理される順番で患者Ｙへの提供業務を振り分ける。もっとも、患者Ｗへの提供業務も、調剤より前順序の作業である処方監査に候補薬剤を有しているため、作業振分部１４は、前順序の作業に候補薬剤を有する提供業務同士を受け付け順に振り分ける。即ち、作業振分部１４は、患者Ｗへの提供業務が三番目、患者Ｙへの提供業務が四番目に処理されるように提供業務を振り分ける。
【００４０】
表示制御部１５は、表示部３０に対する表示制御を行う。
一例として、表示制御手段１７は、ボタン生成部１１が生成した選択ボタン１２１を所定の順序に並べて表示部３０に表示する。
また、表示制御部１５は、選択ボタン１２１の選択を受け付けて、作業振分部１４が振り分けたように、薬剤の提供業務を並べて表示部３０に表示する。即ち、表示制御部１５は、所定の作業において、所定の作業に割り振られている患者ごとの提供業務を所定の順番で表示するが、前順序の作業において表示された候補薬剤がある場合の患者の順番が、後順序の作業において当該順番よりも下の順番で表示する。
【００４１】
ここで、所定の順番とは、作業において、提供業務を処理する優先順を示すものであって、提供業務の受付順を基準として、前順序の作業において変更となりうる提供業務かによって並び替えられている。
【００４２】
［進捗状況管理システム１００の処理］
続いて、図９を参照して、進捗状況管理システム１００の処理について説明する。
図９は、進捗状況管理システム１００の処理の流れを示すフローチャートである。進捗状況管理システム１００を構成する担当者装置１は、薬局の担当者のログイン操作を受け付けて処理を開始する。
担当者装置１のボタン生成部１１は、薬剤の提供業務に係る複数の作業を選択するボタンを、作業の順序で表示する表示データを生成する（ステップＳ１）。
担当者装置１の表示制御部１５は、ステップＳ１において生成した表示データに基づいて、ボタンを含む表示を表示部３０に表示する（ステップＳ２）。
【００４３】
担当者装置１の表示制御部１５は、薬局の担当者が受付の作業に対応するボタンを選択する操作を受け付ける（ステップＳ３）。
担当者装置１の表示制御部１５は、選択されたボタンが受付の作業かを確認する（ステップＳ４）。選択された作業が受付の場合に、表示制御部１５は、ステップＳ５に処理を進める。選択された作業が受付ではない場合に、表示制御部１５は、ステップＳ１１に処理を進める。
【００４４】
担当者装置１の表示制御部１５は、薬剤の提供業務を受け付ける画面を表示部３０に表示する（ステップＳ５）。
担当者装置１の業務受付部１２は、担当者から薬剤の提供業務の入力を受け付けて、受け付けた内容を記憶部２０に記憶する（ステップＳ６）。
【００４５】
担当者装置１の変更薬剤特定部１３は、受け付けた提供業務の薬剤のうち、作業を行うと変更になりうる候補薬剤を、作業毎に特定する（ステップＳ７）。
担当者装置１の作業振分部１４は、前順序の作業に候補薬剤がある場合に、後順序の作業において、候補薬剤を含む提供業務を他の提供業務よりも後に処理されるように複数の作業に振り分ける（ステップＳ８）。
【００４６】
担当者装置１の表示制御部１５は、ボタンを選択する操作を受け付けたかを確認する（ステップＳ９）。ボタンを選択する操作を受け付けた場合（ＹＥＳ）に、表示制御部１５は処理をステップＳ４に進める。ボタンを選択する操作を受け付けていない場合（ＮＯ）に、表示制御部１５はステップＳ１０に処理を進める。
【００４７】
担当者装置１の制御部１０は、処理を終了させる操作を受け付けたかを確認する（ステップＳ１０）。処理を終了させる操作を受け付けていない場合（ＮＯ）に、制御部１０は処理をステップＳ５に進める。処理を終了させる操作を受け付けた場合に、制御部１０は処理を終了する。
【００４８】
担当者装置１の表示制御部１５は、選択されたボタンに対応する作業について、振り分けられた提供業務があるかを確認する（ステップＳ１１）。振り分けられた提供業務がある場合に、表示制御部１５は、ステップＳ１２に処理を進める。振り分けられた提供業務がない場合に、提供業務がない旨を表示し、提供業務が振り分けられるまで処理を保留する。
【００４９】
担当者装置１の表示制御部１５は、選択されたボタンに対応する作業について、振り分けられた提供業務を、作業振分部１４が振り分けた薬局の担当者が処理すべき順番に並べて表示する（ステップＳ１２）。
なお、表示制御部１５は、所定の作業において、所定の作業に割り振られている患者ごとの提供業務を所定の順番で表示するが、ステップＳ８における提供業務の振り分けにより前順序の作業において表示された候補薬剤がある場合の患者の順番が、後順序の作業において当該順番よりも下の順番で表示する。
【００５０】
担当者装置１の表示制御部１５は、薬局の担当者から提供業務の選択を受け付ける（ステップＳ１３）。
担当者装置１の表示制御部１５は、選択された作業及び提供業務を薬局の担当者が処理するための表示画面を表示部３０に表示する（ステップＳ１４）。
担当者は、ステップＳ１４において表示される表示画面を参照して、選択された作業及び提供業務に必要な情報を確認するとともに、必要な情報を入力する。
例えば、担当者は、処方監査の作業における患者Ｗに対する提供業務の際に、薬剤Ｂ及び薬剤Ｄが併用禁忌に該当することを表示画面により確認して、薬剤を処方した医師に照会して薬剤Ｄを除くように情報を入力する。
【００５１】
担当者装置１の表示制御部１５は、ボタンを選択する操作を受け付けたかを確認する（ステップＳ１５）。ボタンを選択する操作を受け付けた場合（ＹＥＳ）に、表示制御部１５は、処理をステップＳ４に進める。ボタンを選択する操作を受け付けていない場合（ＮＯ）に、表示制御部１５はステップＳ１６に処理を進める。
【００５２】
担当者装置１の制御部１０は、処理を終了させる操作を受け付けたかを確認する（ステップＳ１７）。処理を終了させる操作を受け付けていない場合（ＮＯ）に、制御部１０は処理をステップＳ１２に進める。処理を終了させる操作を受け付けた場合に、制御部１０は処理を終了する。
【００５３】
以上、本実施形態について説明した。このような進捗状況管理システム１００において、ボタン生成部１１は、薬剤の提供業務に係る複数の作業を選択するボタンを、作業の順序で表示する表示データを生成する。また、変更薬剤特定部１３は、受け付けた提供業務の薬剤のうち、作業を行うと変更になりうる候補薬剤を、作業毎に特定する。そして、作業振分部１４は、前順序の作業に候補薬剤がある場合に、後順序の作業において、候補薬剤を含む提供業務を他の提供業務よりも後に処理されるように複数の作業に振り分ける。
そのため、後順序の作業を行う薬剤師は、変更になる可能性のある提供業務よりも変更になる可能性のない提供業務を優先して作業することができ、これにより、複数の薬剤師が薬剤提供業務の作業を分業して行ったとしてもやり直しを少なくし、効率的に薬剤の提供を行うことができる。
【００５４】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００５５】
また、本願発明は、図４に示す機能的構成を備える端末装置に対して適用することができる。このとき、図４に示す機能的構成を備えるとは、当該機能的構成を実現するソフトウェアを端末装置にインストールすることに加え、所定のサーバにインストールされたソフトウェアを端末装置がネットワークを介して利用可能な状態も含む。即ち、インターネットを通じて顧客にビジネス用アプリケーションを提供する、いわゆるＡＳＰサービスについても本願発明を適用することができる。
【００５６】
また、本実施形態において、所定の順序は、「受付」「薬歴確認」「処方監査」「患者情報収集」「調剤設計」「服薬に関する説明」「調剤決定」「調剤」「最終鑑査」「薬剤交付会計」の順に構成されているが、薬剤提供業務を行う場合に当該順序を遵守して作業を行えば、既に行った作業に間違いがなければやり直す必要がないように並べられていればよく、本発明はこれに限られない。例えば、作業を更に細分化・統合してもよく、又、何れかの作業を追加・除外してもよい。
【００５７】
また、本実施形態において、作業振分部１４は、前順序の作業に候補薬剤がある場合に、後順序の作業において、候補薬剤を含む提供業務を他の提供業務よりも後に処理されるように複数の作業に振り分けるが、後に処理される範囲を一定の範囲に制限してもよい。
ここで、一定の範囲とは、先順序の作業において提供業務の処理が終わっているであろう順番までをいい、例えば、後に処理される範囲を、受け付け順から５番目までの順番までに制限してもよい。
【００５８】
また、本実施形態において、作業振分部１４は、前順序の作業に候補薬剤がある場合に、後順序の作業において、候補薬剤を含む提供業務を他の提供業務よりも後に処理されるように複数の作業に振り分けるが、前順序の作業において、候補薬剤の変更の可否が決定された場合には、受け付け順になるように再度作業を振り分けるようにしてもよい。
【００５９】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能がコンピュータに備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
【００６０】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【符号の説明】
【００６１】
１  担当者装置
１０  制御部
１１  ボタン生成部
１２  業務受付部
１３  変更薬剤特定部
１４  作業振分部
１５  表示制御部
２０  記憶部
２１  業務ログデータベース
２２  薬歴データベース
２３  添付文書データベース
３０  表示部
１００  進捗状況管理システム
【図１】
2018139160.tif 000003
【図２】
2018139160.tif 000004
【図３】
2018139160.tif 000005
【図４】
2018139160.tif 000006
【図５】
2018139160.tif 000007
【図６】
2018139160.tif 000008
【図７】
2018139160.tif 000009
【図８】
2018139160.tif 000010
【図９】
2018139160.tif 000011
【図１０】
2018139160.tif 000012
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
複数の担当者により用いられ、患者毎に薬剤の提供業務を行うために用いられる進捗状況管理システムであって、
前記提供業務に係る複数の作業に対し、各作業の順序を設定する作業順序設定手段と、
所定の作業において、当該所定の作業に割り振られている各患者に関する提供業務の順番を設定する患者順番設定手段と、
受け付けた前記提供業務の薬剤のうち、前記作業を行うと変更になりうる候補薬剤を、前記作業毎に特定する変更薬剤特定手段と、を備え、
前記患者順番設定手段は、前順序の作業において前記候補薬剤がある場合の患者に関する提供業務の順番を、後順序の作業において当該順番よりも下位に変更する、
進捗状況管理システム。
【請求項２】
前記前順序の作業が処方監査の作業又は調剤設計の作業である、
請求項１に記載の進捗状況管理システム。
【請求項３】
前記後順序の作業が調剤設計の作業又は調剤の作業である、
請求項１に記載の進捗状況管理システム。
【請求項４】
前記変更薬剤特定手段は、前記提供業務の薬剤のうち、所定の薬剤と同一の一般名称の薬剤がある場合に、当該所定の薬剤を候補薬剤として特定する、
請求項１乃至３何れかに記載の進捗状況管理システム。
【請求項５】
前記変更薬剤特定手段は、前記提供業務の薬剤のうち、所定の薬剤を禁忌とする他の薬剤又は疾病がある場合に、当該所定の薬剤を候補薬剤として特定する、
請求項１乃至３何れかに記載の進捗状況管理システム。
【請求項６】
前記変更薬剤特定手段は、前記提供業務の薬剤のうち、所定の薬剤に残薬がある場合に、当該所定の薬剤を候補薬剤として特定する、
請求項１乃至３何れかに記載の進捗状況管理システム。
【請求項７】
複数の担当者により用いられ、患者毎に薬剤の提供業務を行うために用いられるコンピュータを、
前記提供業務に係る複数の作業に対し、各作業の順序を設定する作業順序設定手段、
所定の作業において、当該所定の作業に割り振られている各患者に関する提供業務の順番を設定する患者順番設定手段、
受け付けた前記提供業務の薬剤のうち、前記作業を行うと変更になりうる候補薬剤を、前記作業毎に特定する変更薬剤特定手段、として機能させ、
前記患者順番設定手段は、前順序の作業において前記候補薬剤がある場合の患者に関する提供業務の順番を、後順序の作業において当該順番よりも下位に変更する、
プログラム。